(57)【要約】【課題】１つの給紙ローラで全ての紙幅の記録紙に対応可能な自動給紙装置において、紙幅が狭い記録紙を給紙する際に生じるスキューを低減させる。【解決手段】紙案内レバー３は、軸３１を揺動軸として揺動可能に軸支されている。第１のカム５７２は、紙案内レバー３の外側に形成されている第１のカムフォロア３４と係合し、第２のカム５７３は、紙案内レバー３の内側に形成されている第２のカムフォロア３３と係合する。第２のカム５７３は、給紙ローラ５７の回転位置がリセット位置にある状態では、紙案内レバー３が紙戻しレバー５９の紙戻し動作に干渉しない位置まで紙案内レバー３を揺動させる。給紙動作中には、第１のカム５７２が第１のカムフォロア３４に当接して紙案内レバー３の係合面３２による給紙経路の間隔を所定の間隔に維持する如く紙案内レバー３の揺動位置を規制する。【選択図】        図３
2004175531.tif 000002
【特許請求の範囲】
【請求項１】
主走査方向に記録ヘッドを往復動させて前記記録ヘッドから記録紙の記録面にインクを吐出する記録実行手段と、記録紙を副走査方向に所定の搬送量で搬送する記録紙搬送手段とを備えた記録装置に搭載され、給紙トレイに積重された記録紙を前記記録紙搬送手段に向けて１枚ずつ自動給送する自動給紙装置であって、
回転駆動力源の回転が伝達されて給紙方向に駆動回転する給紙ローラと、
該給紙ローラの周面に沿って湾曲した状態で、前記給紙ローラの駆動回転にて前記記録紙搬送手段に向けて給送される記録紙の両側端が略均等な湾曲状態となる如く、前記記録紙の姿勢を規制する記録紙規制手段とを備えている、ことを特徴とした自動給紙装置。
【請求項２】
請求項１において、前記記録紙規制手段は、前記給紙ローラの駆動回転にて前記記録紙搬送手段に向けて給送される記録紙の紙幅方向における基準側端部近傍の姿勢を一定の湾曲状態に規制する構成を成している、ことを特徴とした自動給紙装置。
【請求項３】
請求項１又は２において、前記給紙ローラを駆動回転可能に軸支し、回転駆動力源の回転を前記給紙ローラへ伝達する給紙ローラ回転軸を有し、前記記録紙規制手段は、揺動可能に軸支され、所定の揺動位置において前記記録紙と係合して該記録紙の姿勢を規制する記録紙規制部材と、前記給紙ローラ回転軸の回転位置に応じて前記記録紙規制部材の揺動位置を規定する揺動位置規定手段とを有している、ことを特徴とした自動給紙装置。
【請求項４】
請求項３において、前記給紙トレイに積重された記録紙を前記給紙ローラへ付勢する付勢手段と、複数枚重なった状態で前記給紙ローラへ付勢された記録紙の最上位の記録紙のみを分離する分離手段と、該分離手段にて分離された記録紙以外の残りの記録紙を前記給紙トレイに戻す紙戻し手段とを備え、前記揺動位置規定手段は、前記紙戻し手段による紙戻し動作時に前記記録紙規制部材が該紙戻し動作に干渉しない位置まで揺動する構成を成している、ことを特徴とした自動給紙装置。
【請求項５】
請求項３又は４において、前記給紙ローラと前記記録紙搬送手段との間の給紙経路に、前記記録紙が摺接した状態で該記録紙を支持する案内部を備え、前記給紙ローラの回転によって前記記録紙が給送されている状態において、前記案内部の前記記録紙が摺接する案内面と前記給紙ローラの周面との間隔は、前記案内面と前記記録紙規制部材の前記記録紙との係合面との間隔と略等間隔となる、ことを特徴とした自動給紙装置。
【請求項６】
請求項５において、前記給紙ローラの回転によって前記記録紙が給送されている状態における前記案内面と前記記録紙規制部材の前記記録紙との係合面との間隔は、１．５±０．５ｍｍに設定されている、ことを特徴とした自動給紙装置。
【請求項７】
請求項３〜６のいずれか１項において、前記揺動位置規定手段は、前記給紙ローラ回転軸と一体に配設されているカムと、前記記録紙規制部材に形成されているカムフォロアとを有する構成を成している、ことを特徴とした自動給紙装置。
【請求項８】
請求項７において、前記カムは、前記給紙ローラの回転によって前記記録紙が給送されている状態における前記案内面と前記記録紙規制部材の前記記録紙との係合面との間隔を規定する第１のカムと、給紙された前記記録紙の先端が前記記録紙搬送手段に到達した後に、前記案内面から前記記録紙規制部材の前記記録紙との係合面が離間する方向に前記記録紙規制部材を揺動させる第２のカムとを有している、ことを特徴とした自動給紙装置。
【請求項９】
請求項１〜８のいずれか１項に記載の自動給紙装置を備えた記録装置。
【発明の詳細な説明】
【０００１】
【発明の属する技術分野】
本願発明は、インクジェット式記録装置等の記録装置に搭載され、給紙トレイに積重された記録紙を記録実行領域に向けて１枚ずつ自動給送する自動給紙装置、及び該自動給紙装置を備えた記録装置に関する。
【０００２】
【従来の技術】
一般的に、インクジェット式記録装置等の記録装置に搭載され、給紙トレイに積重された記録紙を記録実行領域に向けて１枚ずつ自動給送する自動給紙装置は、回転中心から周面までの距離が一部短い略Ｄ形の横断面形状を有し、回転駆動力源の回転駆動力が伝達されて回転する給紙ローラと、給紙トレイに積重された記録紙を給紙ローラの周面へ付勢するホッパー等の付勢手段と、その付勢手段によって給紙ローラの周面へ付勢された複数の記録紙を、給紙ローラの回転によって給紙すべき１枚の記録紙とそれ以外の記録紙とに分離する分離パッドやリタードローラ等の分離手段とを有する自動給紙機構を備えている。このような自動給紙機構を例えば、記録紙の紙幅方向に複数組配設すると、様々な幅の記録紙に対応が容易であるとともに、搬送ローラ等の記録紙搬送手段による記録紙の搬送方向に対する記録紙の傾き、いわゆるスキューが生じにくくなる。しかし、自動給紙装置に上述したような自動給紙機構を複数組設けると、自動給紙装置のコストは上昇してしまうことになる。そこで、様々な技術改良等によって、この自動給紙機構を一組だけにした低コストな自動給紙装置（例えば特許文献１参照）が一般的になりつつあり、多くのインクジェット式記録装置に搭載されて広く普及している。
【０００３】
例えば、特許文献１に開示されている自動給紙装置は、前述した一組の自動給紙機構に加えて、分離パッドにて給紙すべき１枚の記録紙から分離された他の記録紙を給紙トレイに押し戻すための紙戻しレバーと、その紙戻しレバーを駆動するための機構とを備えており、分離パッドにて分離された記録紙を紙戻しレバーで給紙トレイに押し戻すことによって、記録紙の重送の虞が低減される。また、一組の前記自動給紙機構に対して、この紙戻しレバーを有する紙戻し機構が記録紙の紙幅方向の両端近傍に二組配設することによって、前述したような記録紙のスキューを防止している。
【０００４】
【特許文献１】
特開２００２−１９９８１号公報
【０００５】
【発明が解決しようとする課題】
しかしながら、特許文献１に開示されているような一組の前記自動給紙機構によって給紙トレイに積重された記録紙を自動給紙する構成を成す自動給紙装置は、１つの給紙ローラで全ての紙幅の記録紙に対応可能な位置（例えば略中央近傍）に給紙ローラが配設されるので、紙幅によっては、紙幅方向における給紙ローラの回転が伝達される位置が紙幅の中心からずれた位置に作用することになる。特にハガキやＬ判写真サイズ等の最も紙幅の狭い記録紙を自動給紙する際には、給紙ローラが記録紙の紙幅方向の一端部近傍に接した状態で回転して記録紙が給送されることになる。そのため、紙幅方向における記録紙の湾曲状態が一端側と他端側とで大きく異なる状態となってしまい、その湾曲状態の偏りによって、記録紙の搬送方向に対する記録紙の傾き（スキュー）が生じやすくなってしまうという問題があった。
【０００６】
本願発明は、このような状況に鑑み成されたものであり、その課題は、１つの給紙ローラで全ての紙幅の記録紙に対応可能な自動給紙装置において、紙幅が狭い記録紙を給紙する際に生じるスキューを低減させることにある。
【０００７】
【課題を解決するための手段】
上記課題を達成するため、本願発明の第１の態様は、主走査方向に記録ヘッドを往復動させて前記記録ヘッドから記録紙の記録面にインクを吐出する記録実行手段と、記録紙を副走査方向に所定の搬送量で搬送する記録紙搬送手段とを備えた記録装置に搭載され、給紙トレイに積重された記録紙を前記記録紙搬送手段に向けて１枚ずつ自動給送する自動給紙装置であって、回転駆動力源の回転が伝達されて給紙方向に駆動回転する給紙ローラと、該給紙ローラの周面に沿って湾曲した状態で、前記給紙ローラの駆動回転にて前記記録紙搬送手段に向けて給送される記録紙の両側端が略均等な湾曲状態となる如く、前記記録紙の姿勢を規制する記録紙規制手段とを備えている、ことを特徴とした自動給紙装置である。
【０００８】
このように、給紙ローラの周面に沿って湾曲した記録紙は、記録紙規制手段によって、両側端が略均等な湾曲状態となる如く姿勢を規制されるので、紙幅方向における給紙ローラの回転が伝達される位置が紙幅の中心からずれた位置に作用することによって生じる湾曲状態の偏りに起因したスキューを低減させることができる。
【０００９】
これにより、本願発明の第１の態様における自動給紙装置によれば、紙幅方向における給紙ローラの回転が伝達される位置が紙幅の中心からずれた位置に作用することによって生じる湾曲状態の偏りに起因したスキューを低減させることができるので、１つの給紙ローラで全ての紙幅の記録紙に対応可能な自動給紙装置において、紙幅が狭い記録紙を給紙する際に生じるスキューを低減させることができるという作用効果が得られる。
【００１０】
本願発明の第２の態様は、前述した第１の態様において、前記記録紙規制手段は、前記給紙ローラの駆動回転にて前記記録紙搬送手段に向けて給送される記録紙の紙幅方向における基準側端部近傍の姿勢を一定の湾曲状態に規制する構成を成している、ことを特徴とした自動給紙装置である。
【００１１】
前述したように、ハガキやＬ判写真サイズ等の最も紙幅の狭い記録紙を自動給紙する際には、給紙ローラが記録紙の紙幅方向の一端部近傍に接した状態で回転して記録紙が給送されることになる。そのため、紙幅方向における記録紙の湾曲状態が一端側と他端側とで大きく異なる状態となってしまい、その湾曲状態の偏りによって、記録紙の搬送方向に対する記録紙のスキューが生じやすくなってしまう。そこで、給紙ローラの周面に沿って湾曲している紙幅方向の一端部近傍に対して、記録紙の両側端が略均等な湾曲状態となる如く、紙幅方向の記録紙位置の基準となる側の端部近傍の姿勢を規制することによって、つまり、紙幅方向の他端部近傍の姿勢を規制することによって、ハガキやＬ判写真サイズ等の最も紙幅の狭い記録紙を自動給紙する際に生じるスキューを低減させることができるという作用効果が得られる。
【００１２】
本願発明の第３の態様は、前述した第１の態様又は第２の態様において、前記給紙ローラを駆動回転可能に軸支し、回転駆動力源の回転を前記給紙ローラへ伝達する給紙ローラ回転軸を有し、前記記録紙規制手段は、揺動可能に軸支され、所定の揺動位置において前記記録紙と係合して該記録紙の姿勢を規制する記録紙規制部材と、前記給紙ローラ回転軸の回転位置に応じて前記記録紙規制部材の揺動位置を規定する揺動位置規定手段とを有している、ことを特徴とした自動給紙装置である。
【００１３】
このように、記録紙規制手段は、記録紙の姿勢を規制するための揺動可能に軸支された記録紙規制部材が、揺動位置規制手段によって給紙ローラ回転軸の回転位置に応じて揺動位置が規定され、所定の揺動位置において記録紙と係合して記録紙の姿勢を規制するので、記録紙の自動給送中に適切なタイミングで記録紙搬送手段に向けて給送される記録紙の両側端が略均等な湾曲状態となる如く記録紙の姿勢を規制することができるという作用効果が得られる。
【００１４】
本願発明の第４の態様は、前述した第３の態様において、前記給紙トレイに積重された記録紙を前記給紙ローラへ付勢する付勢手段と、複数枚重なった状態で前記給紙ローラへ付勢された記録紙の最上位の記録紙のみを分離する分離手段と、該分離手段にて分離された記録紙以外の残りの記録紙を前記給紙トレイに戻す紙戻し手段とを備え、前記揺動位置規定手段は、前記紙戻し手段による紙戻し動作時に前記記録紙規制部材が該紙戻し動作に干渉しない位置まで揺動する構成を成している、ことを特徴とした自動給紙装置である。
【００１５】
このように、複数枚重なった状態で給紙ローラへ付勢された記録紙の最上位の記録紙のみを分離する分離手段を備えているので、複数の記録紙が重なった状態で記録紙搬送手段へ給送されてしまうことを防止することができる。そして、給紙後、分離手段によって給紙すべき記録紙から分離された記録紙を給紙トレイに戻す紙戻し手段を備えているので、分離手段によって分離された記録紙が給紙トレイの出口と給紙ローラとの間に残留した状態から再度記録紙の給送を行うことによって生じるスキューや紙詰まり等のトラブルを防止することができるという作用効果が得られる。そして、記録紙規制手段は、紙戻し手段による紙戻し動作時に、記録紙規制部材がその紙戻し動作に干渉しない位置まで揺動する構成を成しているので、前述した第３の態様における作用効果に加えて、上述したような紙戻し手段による作用効果を得ることができる。
【００１６】
本願発明の第５の態様は、前述した第３の態様又は第４の態様において、前記給紙ローラと前記記録紙搬送手段との間の給紙経路に、前記記録紙が摺接した状態で該記録紙を支持する案内部を備え、前記給紙ローラの回転によって前記記録紙が給送されている状態において、前記案内部の前記記録紙が摺接する案内面と前記給紙ローラの周面との間隔は、前記案内面と前記記録紙規制部材の前記記録紙との係合面との間隔と略等間隔となる、ことを特徴とした自動給紙装置である。
【００１７】
このように、給紙ローラの回転によって記録紙が給送されている状態において、案内部の案内面から給紙ローラの周面までの間隔と、案内部の案内面から記録紙規制部材の係合面までの間隔とが略等間隔となるので、記録紙規制部材に規制されて湾曲している部分の湾曲状態を、給紙ローラの周面に接した状態で湾曲している部分の湾曲状態と略同等の湾曲状態に規制することができるという作用効果が得られる。
【００１８】
本願発明の第６の態様は、前述した第５の態様において、前記給紙ローラの回転によって前記記録紙が給送されている状態における前記案内面と前記記録紙規制部材の前記記録紙との係合面との間隔は、１．５±０．５ｍｍに設定されている、ことを特徴とした自動給紙装置である。
【００１９】
案内部の案内面と記録紙規制部材の係合面との間隔を調節することによって、スキューの方向やスキュー量等のスキュー状態が変化する。したがって、この間隔を最適な間隔に設定することによって、記録紙の湾曲状態の偏りによるスキューを最小限にすることができる。そして、特にハガキやＬ判写真サイズ等の最も紙幅の狭い記録紙においては、この間隔を１．５±０．５ｍｍの範囲に設定することで記録紙の湾曲状態の偏りによるスキューを最小限にすることができるという作用効果が得られる。
【００２０】
本願発明の第７の態様は、前述した第３の態様〜第６の態様のいずれかにおいて、前記揺動位置規定手段は、前記給紙ローラ回転軸と一体に配設されているカムと、前記記録紙規制部材に形成されているカムフォロアとを有する構成を成している、ことを特徴とした自動給紙装置である。
【００２１】
このように、揺動位置規定手段は、給紙ローラ回転軸と一体に配設されているカムと、記録紙規制部材に形成されているカムフォロアとを有するカム機構で構成されているので、記録紙規制部材を給紙ローラの回転位置に合わせて最適なタイミングで揺動させることが、給紙ローラ回転軸の回転によって回転するカムの形状によって容易に設定できるという作用効果が得られる。
【００２２】
本願発明の第８の態様は、前述した第７の態様において、前記カムは、前記給紙ローラの回転によって前記記録紙が給送されている状態における前記案内面と前記記録紙規制部材の前記記録紙との係合面との間隔を規定する第１のカムと、給紙された前記記録紙の先端が前記記録紙搬送手段に到達した後に、前記案内面から前記記録紙規制部材の前記記録紙との係合面が離間する方向に前記記録紙規制部材を揺動させる第２のカムとを有している、ことを特徴とした自動給紙装置である。
【００２３】
このように、記録紙が給送されている状態における案内面と記録紙規制部材の記録紙との係合面との間隔を規定する動作と、給紙後に案内面から記録紙規制部材の記録紙との係合面が離間する方向に記録紙規制部材を揺動させる動作とを異なるカムで行うことによって、給紙ローラの回転位置に対するそれぞれの動作タイミングや記録紙規制部材の揺動位置を、記録紙規制部材の形状等による制約がより少ない状態で最適に設定することが容易になるという作用効果が得られる。
【００２４】
本願発明の第９の態様は、前述した第１の態様〜第８の態様のいずれかに記載の自動給紙装置を備えた記録装置である。
本願発明の第９の態様における記録装置によれば、記録装置において、前述した第１の態様〜第８の態様のいずれかに記載の自動給紙装置による作用効果を得ることができる。
【００２５】
【発明の実施の形態】
以下、本願発明の一実施の形態を図面に基づいて説明する。まず、本願発明に係る「記録装置」としてのインクジェット式記録装置の概略構成について説明する。
図１は、本願発明に係る「記録装置」としてのインクジェット式記録装置の要部を示した斜視図であり、図２は要部側面図である。
【００２６】
インクジェット式記録装置５０には、記録紙Ｐに記録を実行する手段として、キャリッジ６１が本体フレーム１に支持されているキャリッジガイド軸５１に軸受部６１１にて軸支された状態で、主走査方向Ｘに往復動可能に配設されている。キャリッジ６１には、インクカートリッジ６１ａに充填されているインクを記録紙Ｐに噴射して記録を行う記録ヘッド６２が搭載されている。記録ヘッド６２と対向して、記録ヘッド６２のヘッド面と記録紙Ｐとのギャップを規定するプラテン５２が設けられている。そして、キャリッジ６１とプラテン５２の間に記録紙Ｐを副走査方向Ｙに所定の搬送量で搬送する動作と、記録ヘッド６２を主走査方向Ｘに移動させる間に記録ヘッド６２から記録紙Ｐにインクを噴射する動作とを交互に繰り返すことによって記録紙Ｐに記録が行われる。
【００２７】
インクジェット式記録装置５０は、記録紙Ｐを自動給紙する本願発明に係る「自動給紙装置」としてのＡＳＦ（オート・シート・フィーダ）１０を搭載している。ＡＳＦ１０は、給紙ローラ５７及び給紙トレイ５８を備えており、１つの給紙ローラ５７で全ての紙幅の記録紙Ｐに対応可能な構成を成す自動給紙機構である。給紙ローラ５７は、回転中心から周面までの長さが一部短くなっている略Ｄ形の横断面形状を有しており、図示していないステッピング・モータ等の回転駆動力源の回転駆動力によって回転する給紙ローラ回転軸５７１に一体に軸支されている。給紙トレイ５８は、例えば普通紙やフォト紙等の記録紙Ｐを給紙可能な構成となっており、給紙トレイ５８に積重された記録紙Ｐを底面側から押し上げて給紙ローラ５７の周面に付勢する「付勢手段」としてのホッパー５８１と、給紙トレイ５８に積重される記録紙Ｐの紙幅に合わせて符号Ａで示した方向に摺動可能に配設されているガイド部５８２とを有している。給紙ローラ５７の周面には、高摩擦抵抗を有する部材が周設されており、給紙トレイ５８に積重された記録紙Ｐは、ホッパー５８１によって給紙ローラ５７の周面に付勢された記録紙Ｐの最上位の記録紙が給紙ローラ５７の周面に密着した状態で給紙ローラ５７の回転方向（符号Ｂ）に給紙される構成を成している。
【００２８】
記録紙Ｐを副走査方向Ｙに搬送する「記録紙搬送手段」として、搬送駆動ローラ５３と搬送従動ローラ５４が設けられている。搬送駆動ローラ５３は、図示していないステッピング・モータ等の回転駆動力源によって回転し、搬送駆動ローラ５３の回転（符号Ｄ）により、記録紙Ｐは副走査方向Ｙに搬送される。搬送従動ローラ５４は、複数設けられており、それぞれ個々に搬送従動ローラホルダ５４１に軸支された状態で搬送駆動ローラ５３に付勢されており、記録紙Ｐが搬送駆動ローラ５３の回転により搬送される際に、記録紙Ｐに接しながら記録紙Ｐの搬送に従動して回転する。搬送駆動ローラ５３の表面には、高摩擦抵抗を有する皮膜が施されている。搬送従動ローラ５４によって、搬送駆動ローラ５３の表面に押しつけられた記録紙Ｐは、その表面の摩擦抵抗によって搬送駆動ローラ５３の表面に密着し、搬送駆動ローラ５３の回転によって副走査方向に搬送される。
【００２９】
また、給紙ローラ５７と搬送駆動ローラ５３との間には、公知の技術による紙検出器６３が配設されている。紙検出器６３は、軸６３ａを揺動軸として揺動可能に軸支されているレバー６３１と、レバー６３１の揺動位置を検出するためのレバー検出部６３２とを有しており、給紙トレイ５８から給紙ローラ５７の回転によって給紙された記録紙Ｐの先端がレバー６３１を押して符号Ｃで示した方向に揺動させることによって給紙された記録紙Ｐが検出される構成を成している。
【００３０】
一方、記録された記録紙Ｐを排紙する手段として、排紙駆動ローラ５５と排紙従動ローラ５６が設けられている。排紙駆動ローラ５５は、ステッピング・モータ等の回転駆動力により回転制御され、排紙駆動ローラ５５の回転（符号Ｅ）により、記録紙Ｐは副走査方向Ｙに排紙される。排紙従動ローラ５６は、周囲に複数の歯を有し、各歯の先端が記録紙Ｐの記録面に点接触するように鋭角的に尖っている歯付きローラになっている。複数の排紙従動ローラ５６は、それぞれ個々に排紙フレーム２に配設されている排紙従動ローラホルダ５６１に軸支された状態で排紙駆動ローラ５５に付勢されており、記録紙Ｐが排紙駆動ローラ５５の回転により排紙される際に記録紙Ｐに接して記録紙Ｐの排紙に従動して回転する。
【００３１】
次に、本願発明に係る「自動給紙装置」としてのＡＳＦ１０の構成について説明する。
図３は、ＡＳＦ１０の一部を拡大して示した斜視図であり、図４は、その正面図である。また、図５は、ＡＳＦ１０の一部を拡大して模式的に示した側面図である。
【００３２】
ＡＳＦ１０は、前述した給紙ローラ５７及び給紙トレイ５８に加えて、リタードローラ７を有する「分離手段」と、紙戻しレバー５９を有する「紙戻し手段」と、「記録紙規制部材」としての紙案内レバー３を有する「記録紙規制手段」とを備えている。リタードローラ７は、トルクリミッター等のトルク制限機構によって一定の回転負荷が付与された状態で従動回転可能に軸支されている。また、リタードローラ７は、給紙ローラ５７の周面に付勢されて当接した状態で配設されているが、リタードローラ７が給紙ローラ５７の回転中心からの長さが短い周面と対向した状態となる給紙ローラ５７の回転位置においては、給紙ローラ５７の周面から離間した状態となる。
【００３３】
ホッパー５８２によって給紙ローラ５７の周面に付勢された記録紙Ｐは、給紙ローラ５７とリタードローラ７との間に挟持された状態で、給紙ローラ５７の回転（符号Ｂ）によって給紙される。所定の回転抵抗を付与された状態で従動回転することにより生じるリタードローラ７の回転抵抗と、給紙ローラ５７の周面の摩擦抵抗と、記録紙Ｐの表面の摩擦抵抗とのバランスによって、重なった状態で給紙ローラ５７に付勢された記録紙Ｐは、給紙すべき１枚の記録紙と、それ以外の記録紙とに分離される。それによって、記録紙Ｐが重なった状態で給紙されることを防止することができる。
【００３４】
紙戻しレバー５９は、軸５９１を揺動軸として揺動可能に軸支されており、記録紙Ｐの紙幅方向に略等間隔で２〜３個配設されている。「紙戻し手段」は、給紙ローラ５７の回転に応じて紙戻しレバー５９を揺動させる機構（図示せず）を有しており、図５に示した如く給紙ローラ５７の回転位置がリセット位置にある状態においては、図示の揺動位置となる。紙戻しレバー５９の揺動によって、給紙ローラ５７と給紙経路を構成している案内部４との隙間に先端が入り込んだ記録紙Ｐは、給紙トレイ５８に押し戻される。
【００３５】
また、紙案内レバー３は、軸３１を揺動軸として揺動可能に軸支されており、図示の如く、給紙ローラ回転軸５７１に形成されている第１のカム５７２と第２のカム５７３とに係合した状態で配設されている。第１のカム５７２は、紙案内レバー３の外側に形成されている第１のカムフォロア３４と係合し、第２のカム５７３は、紙案内レバー３の内側に形成されている第２のカムフォロア３３と係合する。
【００３６】
図１３は、ＡＳＦ１０の一部を拡大して模式的に示した側面図であり、給紙ローラ５７の回転位置がリセット位置にある状態における第２のカム５７３と紙案内レバー３との係合状態を示したものである。
【００３７】
給紙ローラ回転軸５７１に一体に形成されている第２のカム５７３は、図示の如く紙案内レバー３の内側に形成されている第２のカムフォロア３３と係合し、給紙ローラ５７の回転に応じて紙案内レバー３を揺動させるカム機構を構成している。第２のカム５７３は、給紙ローラ５７の回転位置がリセット位置にある状態では、前述したように、紙案内レバー３が紙戻しレバー５９の紙戻し動作に干渉しない位置まで紙案内レバー３を揺動させた状態となる形状を成している。
【００３８】
図２０は、ＡＳＦ１０の一部を拡大して模式的に示した側面図であり、給紙ローラ５７の回転位置がリセット位置にある状態における第１のカム５７２と紙案内レバー３との係合状態を示したものである。
【００３９】
給紙ローラ回転軸５７１に一体に形成されている第１のカム５７２は、紙案内レバー３の外側に形成されている第１のカムフォロア３４と係合し、給紙ローラ５７の回転に応じて紙案内レバー３を揺動させるカム機構を構成している。第１のカム５７２は、給紙ローラ５７の回転位置がリセット位置にある状態では、第２のカム５７３による紙案内レバー３の揺動動作に干渉しないように、図示の如く第１のカム５７２の周面が第１のカムフォロア３４から離間した状態となる形状を成している。
【００４０】
つづいて、給紙ローラ５７の回転位置に対する紙案内レバー３の揺動位置、及び紙戻しレバー５９の揺動位置について図面を参照しながら説明する。また、給紙ローラ回転軸５７１に一体に形成されている第１のカム５７２と第２のカム５７３とによる紙案内レバー３の動きについて、給紙ローラ５７の回転位置と対比させた図面を随時参照しながら説明する。前述したように、第１のカム５７２は、紙案内レバー３の外側に形成されている第１のカムフォロア３４と係合し、第２のカム５７３は、紙案内レバー３の内側に形成されている第２のカムフォロア３３と係合しており、第２のカム５７３と第２のカムフォロア３３との係合関係について、図１４〜図１９を随時参照しながら説明し、第１のカム５７２と第１のカムフォロア３４との係合関係について、図２１〜図２６を随時参照しながら説明する。
【００４１】
図６は、ＡＳＦ１０の一部を拡大して模式的に示した側面図であり、給紙ローラ５７がリセット位置から約２０度、給紙方向に回転した状態を示したものである。また、図１４は、給紙ローラ５７がリセット位置から約２０度、給紙方向に回転した状態における第２のカム５７３と紙案内レバー３との係合状態を示したものであり、図２１は、給紙ローラ５７がリセット位置から約２０度、給紙方向に回転した状態における第１のカム５７２と紙案内レバー３との係合状態を示したものである。
【００４２】
ここでは、給紙トレイ５８に積重されている記録紙Ｐは、ハガキ又はＬ判写真サイズの当該インクジェット式記録装置５０において記録実行可能な最も紙幅の狭い記録紙であり、以下同様とする。給紙ローラ５７がリセット位置にある状態から給紙動作が開始され、給紙ローラ５７が符号Ｂで示した方向に回転し始めると、ホッパー５８１のロックが解除され、縮退していたコイルばね５８３のばね力によってホッパー５８１が符号Ｆで示した方向に移動し、給紙トレイ５８に積重されている記録紙Ｐが底面側から押し上げられて給紙ローラ５７の周面に押しつけられる。同時に、案内部４と給紙ローラ５７との間の給紙経路に突出していた紙戻しレバー５９が、符号Ｇで示した方向に揺動して給紙経路から退避していく。また、給紙ローラ５７が符号Ｂで示した方向に回転すると、第１のカム５７２及び第２のカム５７３も符号Ｂで示した方向に回転する。
【００４３】
紙案内レバー３を上方に揺動させるための第２のカム５７３は、その外周面が紙案内レバー３の内周面に形成されている第２のカムフォロア３３に当接した状態で紙案内レバー３を押し上げて、図示の如く紙案内レバー３を上方に揺動させた状態を維持している（図１４）。給紙動作中の給紙経路の案内面４と紙案内レバー３の係合面３２との間隔を規定するための第１のカム５７２は、第１のカムフォロア３４から離間して、紙案内レバー３に対してフリーな状態となっている（図２１）。
【００４４】
図７は、ＡＳＦ１０の一部を拡大して模式的に示した側面図であり、給紙ローラ５７がリセット位置から約４０度、給紙方向に回転した状態を示したものである。また、図１５は、給紙ローラ５７がリセット位置から約４０度、給紙方向に回転した状態における第２のカム５７３と紙案内レバー３との係合状態を示したものであり、図２２は、給紙ローラ５７がリセット位置から約４０度、給紙方向に回転した状態における第１のカム５７２と紙案内レバー３との係合状態を示したものである。
【００４５】
さらに給紙ローラ５７が符号Ｂで示した方向に回転すると、紙戻しレバー５９は、さらに符号Ｇで示した方向に揺動して、図示の如く給紙経路から完全に退避した状態となる。ホッパー５８１によって給紙ローラ５７の周面に押しつけられた記録紙Ｐは、給紙ローラ５７の周面に当接している最上位の記録紙Ｐ１が給紙ローラ５７の回転によって符号Ｈで示した方向に給紙されていく。記録紙Ｐ１は、一定の回転抵抗を付与された状態で従動回転するリタードローラ７の回転抵抗によって、記録紙Ｐ１の下側に積重されている記録紙Ｐから分離されて、給紙ローラ５７とリタードローラ７との間に挟持された状態で給紙される。また、第１のカム５７２及び第２のカム５７３も符号Ｂで示した方向にさらに回転し、紙案内レバー３が符号Ｊで示した方向に揺動し始める。
【００４６】
第２のカム５７３は、回転中心から外周面までの長さが短い部分が第２のカムフォロア３３に摺接しながら回転していき、それによって、紙案内レバー３を上方に揺動させた状態から符号Ｊで示した揺動方向に揺動させる（図１５）。第１のカム５７２は、第１のカムフォロア３４から離間したままで、紙案内レバー３に対してフリーな状態を維持している（図２２）。
【００４７】
図８は、ＡＳＦ１０の一部を拡大して模式的に示した側面図であり、給紙ローラ５７がリセット位置から約６０度、給紙方向に回転した状態を示したものである。また、図１６は、給紙ローラ５７がリセット位置から約６０度、給紙方向に回転した状態における第２のカム５７３と紙案内レバー３との係合状態を示したものであり、図２３は、給紙ローラ５７がリセット位置から約６０度、給紙方向に回転した状態における第１のカム５７２と紙案内レバー３との係合状態を示したものである。
【００４８】
さらに給紙ローラ５７が符号Ｂで示した方向に回転すると、記録紙Ｐ１は、給紙経路を構成している案内面４と給紙ローラ５７の外周面との間を符号Ｈで示した方向に給紙されていき、給紙ローラ５７の外周面によって紙幅方向の一端部近傍の湾曲姿勢が規制される。また、第１のカム５７２及び第２のカム５７３も符号Ｂで示した方向にさらに回転し、紙案内レバー３が符号Ｊで示した方向にさらに揺動する。第２のカム５７３は、回転中心から外周面までの長さがさらに短い部分が第２のカムフォロア３３に摺接しながら回転していき、それによって、紙案内レバー３を上方に揺動させた状態から符号Ｊで示した揺動方向にさらに揺動させる（図１６）。案内面４と紙案内レバー３の係合面３２との間の間隔が最小になり、記録紙Ｐ１の紙幅方向の他端部近傍（紙幅方向における記録紙位置の基準側となる端部近傍、以下同様とする）の湾曲姿勢は、給紙ローラ５７の周面に沿って湾曲している紙幅方向の一端部近傍の湾曲姿勢と略同等の湾曲状態となる如く係合面３２によって規制される。
【００４９】
第１のカム５７２は、第１のカムフォロア３４から離間したままの状態となっているが（図２３）、ここからさらに回転していくと、第１のカムフォロア３４に当接して案内面４と紙案内レバー３の係合面３２との間の間隔を符号Ｔで示した所定の間隔に維持する如く紙案内レバー３の揺動位置を規制する（図２４参照）。このように、給紙ローラ５７の周面に沿って湾曲している紙幅方向の一端部近傍に対して、記録紙Ｐ１の両側端が略均等な湾曲状態となる如く、紙幅方向の他端部近傍の姿勢を規制することによって、ハガキやＬ判写真サイズ等の紙幅の狭い記録紙Ｐを自動給紙する際に生じるスキューを低減させることができる。
【００５０】
図９は、ＡＳＦ１０の一部を拡大して模式的に示した側面図であり、給紙ローラ５７がリセット位置から約１８０度、給紙方向に回転した状態を示したものである。また、図１７は、給紙ローラ５７がリセット位置から約１８０度、給紙方向に回転した状態における第２のカム５７３と紙案内レバー３との係合状態を示したものであり、図２４は、給紙ローラ５７がリセット位置から約１８０度、給紙方向に回転した状態における第１のカム５７２と紙案内レバー３との係合状態を示したものである。
【００５１】
さらに給紙ローラ５７が符号Ｂで示した方向に回転すると、記録紙Ｐ１は、その先端が給紙経路を構成している案内面４と給紙ローラ５７の周面との間を通って、搬送駆動ローラ５３と搬送従動ローラ５４とのニップ点に向けて符号Ｈで示した方向にさらに給紙されていく。また、第１のカム５７２及び第２のカム５７３も符号Ｂで示した方向にさらに回転する。第１のカム５７２は、第１のカムフォロア３４に当接して紙案内レバー３の揺動位置を規制し、案内面４と紙案内レバー３の係合面３２との間の間隔を符号Ｔで示した所定の間隔に維持する（図２４）。
【００５２】
図１０は、ＡＳＦ１０の一部を拡大して模式的に示した側面図であり、給紙ローラ５７がリセット位置から約２８０度、給紙方向に回転した状態を示したものである。また、図１８は、給紙ローラ５７がリセット位置から約２８０度、給紙方向に回転した状態における第２のカム５７３と紙案内レバー３との係合状態を示したものであり、図２５は、給紙ローラ５７がリセット位置から約２８０度、給紙方向に回転した状態における第１のカム５７２と紙案内レバー３との係合状態を示したものである。
【００５３】
さらに給紙ローラ５７が符号Ｂで示した方向に回転すると、記録紙Ｐ１は、符号Ｈで示した方向にさらに給紙され、その先端が搬送駆動ローラ５３と搬送従動ローラ５４とのニップ点に到達する位置まで給紙される。また、第１のカム５７２及び第２のカム５７３も符号Ｂで示した方向にさらに回転する。第１のカム５７２は、第１のカムフォロア３４に当接した状態で紙案内レバー３の揺動位置を規制したまま、案内面４と紙案内レバー３の係合面３２との間の間隔を符号Ｔで示した所定の間隔に維持する（図２５）。
【００５４】
図１１は、ＡＳＦ１０の一部を拡大して模式的に示した側面図であり、給紙ローラ５７がリセット位置から約３００度、給紙方向に回転した状態を示したものである。また、図１９は、給紙ローラ５７がリセット位置から約２８０度、給紙方向に回転した状態における第２のカム５７３と紙案内レバー３との係合状態を示したものであり、図２６は、給紙ローラ５７がリセット位置から約２８０度、給紙方向に回転した状態における第１のカム５７２と紙案内レバー３との係合状態を示したものである。
【００５５】
記録紙Ｐ１の先端が搬送駆動ローラ５３と搬送従動ローラ５４とのニップ点に到達した時点から、さらに給紙ローラ５７が回転して給紙ローラ５７がリセット位置まで回転する直前になると、まず、ホッパー５８１が符号Ｎで示した方向に下降し始める。また、第１のカム５７２及び第２のカム５７３も符号Ｂで示した方向にさらに回転する。第２のカム５７３は、回転中心から周面までの長さが短い部分が第２のカムフォロア３３と対向する回転位置へと回転していき（図１９）、それによって、記録紙Ｐ１の紙幅方向の他端部近傍の湾曲状態を規制していた紙案内レバー３は、係合面３２に作用する湾曲状態の記録紙Ｐ１の反力によって符号Ｍで示した方向に、第１のカムフォロア３４が第１のカム５７２の周面に当接する揺動位置まで揺動する（図２６）。
【００５６】
記録紙Ｐ１の紙幅方向の他端部近傍の湾曲状態を規制していた紙案内レバー３が符号Ｍで示した方向に揺動し始めて、記録紙Ｐ１から紙案内レバー３の係合面３２が離間する方向に移動していき、係合面３２による記録紙Ｐ１に対する湾曲状態の規制が解除されていく。同時に、紙戻しレバー５９は、リタードローラ７によって記録紙Ｐ１から分離されて先端がリタードローラ７の近傍に残留している記録紙Ｐ２、Ｐ３を給紙トレイ５８に押し戻すべく符号Ｋで示した方向に揺動し始める。
【００５７】
図１２は、ＡＳＦ１０の一部を拡大して模式的に示した側面図であり、給紙ローラ５７がリセット位置から約３２０度、給紙方向に回転した状態を示したものである。
さらに給紙ローラ５７が回転すると、ホッパー５８１が符号Ｎで示した方向にさらに下降して、給紙ローラ５７の周面に付勢されていた記録紙Ｐが給紙トレイ５８内に戻される。また、紙案内レバー３は、符号Ｍで示した方向にさらに揺動し、紙戻しレバー５９による紙戻し動作に干渉しない位置まで揺動する。同時に、紙戻しレバー５９は、符号Ｋで示した方向にさらに揺動し、先端がリタードローラ７の近傍にまで飛び出している記録紙Ｐ２と記録紙Ｐ３を給紙トレイ５８へ押し戻す。
【００５８】
図２７は、ＡＳＦ１０において、給紙動作中における給紙経路の案内面４と紙案内レバー３の係合面３２との間隔Ｔに対する記録紙Ｐ１のスキュー状態を示したグラフである。
【００５９】
一定の間隔に設定される間隔Ｔの設定値を２．７ｍｍから約０．２ｍｍステップで小さくしていき、設定値毎にＡＳＦ１０の給紙動作を実行した際の記録紙Ｐ１のスキュー状態は、＋側（紙案内レバー３が湾曲状態を規制している側）が先行する傾きとなり、１．５ｍｍ前後で０、つまりスキューがほとんどない状態となり、次第に−側（給紙ローラ５７の周面が接して湾曲している側）が先行する傾きとなっていく。このように、給紙動作中における給紙経路の案内面４と紙案内レバー３の係合面３２との間隔Ｔは、当該グラフに示した０．３ｍｍ〜２．７ｍｍの間に設定することによって、記録紙Ｐ１のスキューが許容可能な範囲と言えるかなり小さなスキューとなるが、特に１．５ｍｍ前後に設定することでスキューがほとんど生じない給紙が可能になり、より好ましいと言える。
【００６０】
このようにして、１つの給紙ローラ５７で全ての紙幅の記録紙Ｐに対応可能なＡＳＦ１０において、ハガキやＬ判写真サイズ等の紙幅が狭い記録紙Ｐを給紙する際に生じるスキューを低減させることができる。
【００６１】
尚、本願発明は上記実施例に限定されることなく、特許請求の範囲に記載した発明の範囲内で、種々の変形が可能であり、それらも本願発明の範囲内に含まれるものであることは言うまでもない。
【図面の簡単な説明】
【図１】本願発明に係るインクジェット式記録装置の要部斜視図である。
【図２】本願発明に係るインクジェット式記録装置の要部側面図である。
【図３】ＡＳＦ１０の一部を拡大して示した斜視図である。
【図４】ＡＳＦ１０の一部を拡大して示した正面図である。
【図５】ＡＳＦ１０の一部を拡大して模式的に示した側面図である。
【図６】給紙ローラが約２０度回転したＡＳＦを示した側面図である。
【図７】給紙ローラが約４０度回転したＡＳＦを示した側面図である。
【図８】給紙ローラが約６０度回転したＡＳＦを示した側面図である。
【図９】給紙ローラが約１８０度回転したＡＳＦを示した側面図である。
【図１０】給紙ローラが約２８０度回転したＡＳＦを示した側面図。
【図１１】給紙ローラが約３００度回転したＡＳＦを示した側面図。
【図１２】給紙ローラが約３２０度回転したＡＳＦを示した側面図。
【図１３】給紙ローラがリセット位置にあるＡＳＦを示した側面図。
【図１４】給紙ローラが約２０度回転したＡＳＦを示した側面図である。
【図１５】給紙ローラが約４０度回転したＡＳＦを示した側面図である。
【図１６】給紙ローラが約６０度回転したＡＳＦを示した側面図である。
【図１７】給紙ローラが約１８０度回転したＡＳＦを示した側面図。
【図１８】給紙ローラが約２８０度回転したＡＳＦを示した側面図。
【図１９】給紙ローラが約３２０度回転したＡＳＦを示した側面図。
【図２０】給紙ローラがリセット位置にあるＡＳＦを示した側面図。
【図２１】給紙ローラが約２０度回転したＡＳＦを示した側面図である。
【図２２】給紙ローラが約４０度回転したＡＳＦを示した側面図である。
【図２３】給紙ローラが約６０度回転したＡＳＦを示した側面図である。
【図２４】給紙ローラが約１８０度回転したＡＳＦを示した側面図。
【図２５】給紙ローラが約２８０度回転したＡＳＦを示した側面図。
【図２６】給紙ローラが約３２０度回転したＡＳＦを示した側面図。
【図２７】給紙経路の間隔に対するスキューを示したグラフである。
【符号の説明】
３  紙案内レバー、７  リタードローラ、１０  ＡＳＦ（オート・シート・フィーダ）、３３  第２のカムフォロア、３４  第１のカムフォロア、５０  インクジェット式記録装置、５１  キャリッジガイド軸、５２  プラテン、５３  搬送駆動ローラ、５４  搬送従動ローラ、５５  排紙駆動ローラ、５６  排紙従動ローラ、５７  給紙ローラ、５８  給紙トレイ、５９  紙戻しレバー、６１  キャリッジ、６２  記録ヘッド、６３  紙検出器、１００  記録制御部、５７１  給紙ローラ回転軸、５７２  第１のカム、５７３  第２のカム、Ｘ  主走査方向、Ｙ  副走査方向
【図１】
2004175531.tif 000003
【図２】
2004175531.tif 000004
【図３】
2004175531.tif 000005
【図４】
2004175531.tif 000006
【図５】
2004175531.tif 000007
【図６】
2004175531.tif 000008
【図７】
2004175531.tif 000009
【図８】
2004175531.tif 000010
【図９】
2004175531.tif 000011
【図１０】
2004175531.tif 000012
【図１１】
2004175531.tif 000013
【図１２】
2004175531.tif 000014
【図１３】
2004175531.tif 000015
【図１４】
2004175531.tif 000016
【図１５】
2004175531.tif 000017
【図１６】
2004175531.tif 000018
【図１７】
2004175531.tif 000019
【図１８】
2004175531.tif 000020
【図１９】
2004175531.tif 000021
【図２０】
2004175531.tif 000022
【図２１】
2004175531.tif 000023
【図２２】
2004175531.tif 000024
【図２３】
2004175531.tif 000025
【図２４】
2004175531.tif 000026
【図２５】
2004175531.tif 000027
【図２６】
2004175531.tif 000028
【図２７】
2004175531.tif 000029